(57)【要約】【課題】  乗り心地が良く、燃費や発進特性などの走行特性の良い自動車を得るには、自動車の設計の改善、製造時における部品の厳選、調整の厳密化など製造業者に頼るきり方法がないと考えられ、高級車を購入するか、量産したものの中から選択するかきり手段がないと考えられていた。しかも、高級車においてすら、その性能のバラツキが大きく、ユーザの不満が多かった。【解決手段】  自動車に装着することによって自動車の性能を大幅に向上させることができる電子部品として、半導体のｐｎ接合を有する素子を順方向状態に接続したものと逆方向状態に接続したものとを直列に接続した電子部品を自動車の電気回路に接続して課題を解決した。【選択図】  図１３
2005271747.tif 000002
【特許請求の範囲】
【請求項１】
電子回路と電気回路のいずれか一方あるいは双方を、以下、単に電気回路とも称することにして、自動車の電気回路に接続することができる電子部品を接続して自動車の性能を改善することができる自動車の調整方法において、前記電子部品は少なくとも１つの回路要素を有しており、前記回路要素は、前記電子部品が前記電気回路に接続された状態で順方向接続状態になる半導体のｐｎ接合を利用した素子としてのダイオードあるいはダイオードと実質的に同様の順方向特性ならびに逆方向特性を有する半導体素子（以下、前記ダイオードあるいはダイオードと実質的に同様の順方向特性ならびに逆方向特性を有する素子のことをダイオードと称する）を少なくとも１つ有する第１の部品と、前記電子部品が前記電気回路に接続された状態で逆方向接続状態になる半導体のｐｎ接合を利用した素子としてのダイオードを少なくとも１つ有する第２の部品とを有しているとともに、前記第１の部品と第２の部品が前記回路要素において直列接続の関係にあるという特徴を有する回路要素であり、前記自動車の調整方法は、前記電子部品を自動車の電気回路中の配線の電位差を有する２点間に接続することであることを特徴とする自動車の調整方法。
【請求項２】
請求項１に記載の自動車の調整方法において、少なくとも１つの前記回路要素は、前記直列接続関係にある第１の部品と第２の部品の他に、抵抗とコイルとコンデンサのうちの少なくとも一つを有する以下において関連部品とも称する部品を有しており、前記関連部品の値あるいは接続の仕方を代えることによって自動車の性能を調整することを特徴とする自動車の調整方法。
【請求項３】
電子回路と電気回路のいずれか一方あるいは双方を、以下、単に電気回路とも称することにして、自動車の電気回路に接続して自動車の性能を改善することができる電子部品を少なくとも１つ装着した自動車において、前記電子部品は少なくとも１つの回路要素を有しており、前記回路要素は、前記電子部品が前記電気回路に接続された状態で順方向接続状態になる半導体のｐｎ接合を利用した素子としてのダイオードあるいはダイオードと実質的に同様の順方向特性ならびに逆方向特性を有する半導体素子（以下、前記ダイオードあるいはダイオードと実質的に同様の順方向特性ならびに逆方向特性を有する素子のことをダイオードと称する）を少なくとも１つ有する第１の部品と、前記電子部品が前記電気回路に接続された状態で逆方向接続状態になる半導体のｐｎ接合を利用した素子としてのダイオードを少なくとも１つ有する第２の部品とを有しているとともに、前記第１の部品と第２の部品が前記回路要素において直列接続の関係にあるという回路要素であることを特徴とする自動車。
【請求項４】
請求項３に記載の自動車において、少なくとも１つの前記回路要素を構成する前記第１の部品と第２の部品の少なくとも一方が、接続状態が同一の状態すなわち順方向接続状態と逆方向接続状態のうちのいずれか一方の状態である少なくとも２つのダイオードが並列に接続されている部品であることを特徴とする自動車。
【請求項５】
請求項３または４に記載の自動車において、少なくとも１つの前記回路要素は、直列接続関係にある前記第１の部品と第２の部品の他に前記第１の部品および第２の部品と直列接続の関係にある第３の部品を有しており、前記第３の部品は固定抵抗と可変抵抗の少なくとも一方を有していることを特徴とする自動車。
【請求項６】
請求項３〜５のいずれか１項に記載の自動車において、少なくとも１つの前記回路要素は、前記直列接続関係にある第１の部品と第２の部品の他に前記第１の部品および第２の部品と直列接続の関係にある第４の部品を有しており、前記第４の部品はコイルとコンデンサの少なくとも一方を有しいていることを特徴とする自動車。
【請求項７】
請求項６に記載の自動車において、少なくとも１つの前記回路要素は、前記直列接続関係にある第１の部品と第２の部品のいずれか一方とは直列説続関係に他方とは並列接続関係に、かつ、前記第４の部品とも並列接続関係に配置されているコンデンサを有していることを特徴とする自動車。
【請求項８】
請求項３〜７のいずれか１項に記載の自動車において、前記電子部品が、前記直列接続関係にある第１の部品と第２の部品のいずれか一方に並列に接続され、かつ、他方には直列に接続された少なくとも１つのコンデンサを有していることを特徴とする自動車。
【請求項９】
請求項３〜８のいずれか１項に記載の自動車において、前記電子部品が、並列に接続された少なくとも２つの前記回路要素を有していることを特徴とする自動車。
【請求項１０】
請求項９に記載の自動車において、前記電子部品が、それを構成する少なくとも２つの前記回路要素に共通に直列接続されている第５の部品を有していることを特徴とする自動車。
【請求項１１】
請求項３〜１０のいずれか１項に記載の自動車において、少なくとも１つの前記回路要素の前記直列接続関係にある第１の部品と第２の部品の間に一方の端子が接続されているとともに他方の端子が前記電子部品の前記第５の部品が配置されている側の接続端子に接続されているか、前記電子部品が電気回路に接続された状態で前記電子部品の一方の接続端子に接続されているのと等価な状態になるように配置されていることを特徴とする自動車。
【請求項１２】
請求項３〜１１のいずれか１項に記載の自動車において、前記電子部品が、自動車の電気回路の配線のうちで、エンジン作動制御のために、エンジン点火に関する信号や燃料制御に関する信号を扱う回路の少なくとも一カ所に配置されていることを特徴とする自動車。
【請求項１３】
請求項３〜１１のいずれか１項に記載の自動車において、前記電子部品が、自動車の電気回路の配線のうちで、スイッチやリレーなどのような使用時あるいは不使用時に解放端になるように構成されている端部近傍の配線または前記解放端に配置されていることを特徴とする自動車。
【請求項１４】
請求項３〜１３のいずれか１項に記載の自動車において、前記電子部品が、タバコに火を付けることができる自動車の部品であるシガレットライターを接続することができるソケットなどの自動車の電気回路の電源供給端子に着脱可能に接続することができる付属部品としてケース等に実装されていることを特徴とする自動車。
【請求項１５】
請求項３〜１４のいずれか１項に記載の自動車において、前記第１〜第５の部品の少なくとも一部が半導体集積回路の一部に形成されていることを特徴とする自動車。
【請求項１６】
請求項３〜１５のいずれか１項に記載の自動車において、運転席の近傍など自動車の一部に取り付けられている操作パネルやテレビジョンやカーナビゲーション装置などの表示画面のうちの少なくとも一部に、自動車の電気回路における前記電子部品の接続状態や前記各部品の調整状態などのような前記電子部品に関する情報を表示することができることを特徴とする自動車。
【請求項１７】
請求項３〜１６のいずれか１項に記載の自動車において、運転席の近傍など自動車の一部に取り付けられている操作パネルやテレビジョンやカーナビゲーション装置などの表示画面のうちの少なくとも一部を介して前記電子部品の自動車の電気回路への接続状態や前記各部品の調整状態を変更することができることを特徴とする自動車。
【発明の詳細な説明】
【技術分野】
【０００１】
電気的な回路には、従来から電気回路という呼称と電子回路という呼称が広く用いられており、電気回路という呼称と電子回路という呼称が区別されて用いられる場合と区別されないで用いられる場合がある。本発明においては、回路を流れる電流値が比較的大きな回路の場合と比較的小さな回路の場合の区別や回路における電子の作用を重視するか否かなどに関わらず、いわゆる電気回路と電子回路のいずれかあるいは双方を、単に電気回路ともいうことにする。
【０００２】
本発明は、自動車の電気回路に接続して自動車の性能を改善することができる新規の電子部品、その電子部品を用いて自動車の性能を改善することができる自動車の調整方法ならびにその方法を用いて性能を改善された自動車を提供することに関する。
【背景技術】
【０００３】
近年、電気回路を利用した装置の発展は著しく、文化的生活には不可欠のものとなっている。たとえば、自動車、ステレオやテレビなどの音響装置など電気回路を利用した装置は、快適な生活のための必需品として広く使われており、その性能の発達には著しいものがある。
【０００４】
これらの装置の電気回路には、ヒューズ、配線用の金属線、昇圧回路部品、コンピュータ用部品、点火コイル、点火プラグなど、種々の回路部品が使われており、それらの回路部品には、高性能化、高品質化、低価格化、低消費電力化など、多くの改良が加えられている。
【０００５】
自動車は広く知られている物であり、したがって一般的な説明は省略するが、たとえば、ガソリンを燃料に用いる自動車についてみると、ユーザーの要望やメーカーの技術競争の結果、燃費はかなり向上し、スタートダッシュもかなりよくなり、エンジン音もある程度静かになるなど、多くの進歩が窺える。また、カーステレオなどの音響装置についても、音質がかなりよくなっている。また、衆知のように、ディーゼル車の性能も、ユーザーの要望やメーカーの技術競争の結果、かなり改善されてきている。
【０００６】
このような改善努力によって、現在の自動車はいわゆる大衆商品といえるように多くのユーザに便利に使われており、ユーザの要求に応じて種々の機能、性能、品質のものが低価格品から高価格品まで品揃えされている。
【０００７】
その結果、自動車の機能、性能、品質はかなり向上しているが、さらにエンジン音が静かな自動車、さらに燃費の良い自動車、さらにスタートの良い自動車を求めるユーザの声が強く、そのために、エンジン、自動車のボディー、動力伝達系、タイヤなどの部品や装置の改良が続けられている。
【０００８】
しかしながら、ユーザの希望を満たすには至っておらず、さらにエンジン音が静かな自動車、さらに燃費の良い自動車、さらにスタートの良い自動車を求めるユーザの声が強い。
【０００９】
上記のような自動車の性能の改善は、次のように３つに分けて表現することができる。  その第一は、自動車のエンジン、自動車の動力伝達機構、自動車のボディー、マイコンなど自動車の制御デバイスなどのように、自動車の性能を直接左右する要因が強いと思われるものの改善によるもの（以下、第一種の改善ともいう）である。
【００１０】
その第二は、カーナビやステレオのような自動車の付属機構あるいは付属部品の改善によるもの（以下、第二種の改善ともいう）である。受信器の改善、スピーカの改善、増幅器の改善などによる乗り心地の良さの改善などはこれに該当する。
【００１１】
その第三は、ヒューズや配線材料のように自動車の電気回路に使われているが、たとえばヒューズは電気回路の過電流に対する保護の見地からは不可欠であるが、また、配線材料は電気回路を構成し、機能させるという見地からは不可欠であるが、自動車の燃費やスタートの良さなどの自動車の基本的性能にはあまり関係がないと考えられている部品の改良によるもの（以下、第三種の改善ともいう）である。
【００１２】
第一種の改善と第二種の改善に関しては、基本的なものから細部に至るまで極めて多くの改善が行われ、前記のように日進月歩の状況にある。自動車の燃費の良さ、スタートの良さ、振動の少なさなどの性能の改善は、第一種の改善によるものがほとんどであることはいうまでもない。第一種の改善と第二種の改善は広く知られていることであり、ここでその詳細は省略する。
【００１３】
第三種の改善については、本来、燃費やスタートの良さのような自動車の性能の改善にはほとんど関係がないと考えられていたものであり、自動車の性能の改善という観点からの提案は、後述のように極めて少ない。
【００１４】
第三種の改善の例は極めて少ないが、その例として、特開２００４−１４４９１（以下、文献１という）をあげることができる。以下、これについて概略を説明する。
【００１５】
ヒューズについての改良は、コスト面や形状、実装などに関する改良が多数発表されているが、上記のニーズに応える改良は少ない。
【００１６】
ヒューズを自動車の電気回路に装着する場合は、ヒューズホルダーの電極に単に挿入するだけでよいとされており、電気回路のスイッチを入れたときに電気回路で機能すればよいとされている。したがって、ヒューズの装着される向きはどちら向きでも良く、当該電気回路を安全に機能させればよいものと考えられている。
【００１７】
図２１と図２２は乗用車に使用されている代表的なヒュ−ズホルダーにおけるヒューズの装着方法を説明する図で、ヒューズの電気回路に接続する一対の端子（以下、接続端子もいう）をヒューズホルダーに挿入した状態を説明する断面図で、接続端子とヒューズホルダーの電極との電気的接続がなされている部分の断面図である。
【００１８】
図２１と図２２で、符号１０１，１０２，１２１，１２２はヒューズの接続端子、１１０，１１１，１３０〜１３３はヒューズホルダーの電極である。接続端子１０１と接続端子１０２は同一ヒューズの一対の接続端子で、接続端子１０１と接続端子１０２は図示していないヒューズ本体で電気的に接続されており、接続端子１２１と接続端子１２２は同一ヒューズの一対の接続端子で、接続端子１２１と接続端子１２２は図示していないヒューズ本体で電気的に接続されている。
【００１９】
前記各ヒューズ本体は、衆知のように、それぞれの一対の接続端子の間に所定の電流値以上の電流が所定時間以上流れると発熱してヒューズ本体の一部が溶けて断線することにより当該一対の接続端子の間に流れていた電流を遮断する役割を果たすものである。
【００２０】
図２１で、ヒューズホルダーの電極１１０は、そこに挿入されるヒューズの接続端子１０１を少しきつめに挟んで固定するように形成されている。すなわち、電極１１０の符号１１０ａで示した部分が接続端子１０１の符号１０１ａで示した部分を電極１１０の符号１１０ｃで示した部分の方向へ押すようにして、電極１１０の符号１１０ａで示した部分が接続端子１０１の符号１０１ａで示した部分に圧接している。同様に、電極１１０の符号１１０ｂで示した部分が接続端子１０１の符号１０１ｂで示した部分を電極１１０の符号１１０ｄで示した部分の方向へ押すようにして、電極１１０の符号１１０ｂで示した部分が接続端子１０１の符号１０１ｂで示した部分に圧接している。接続端子１０１の符号１０１ｃで示した面は電極１１０の内壁に部分的にあるいは全体的に押しつけられている。このような構造で、接続端子１０１が電極１１０に挿入されて保持されており、接続端子１０１と電極１１０の接触部分によって電気回路の電気的接続がなされている。
【００２１】
電極１１１と接続端子１０２の間の電気的接続についても電極１１０と接続端子１０１の場合と同様であり、図２１の符号１１１，１１１ａ〜ｄ，１０２，１０２ａ〜ｃで示した部分がそれぞれ前記符号１１０，１１０ａ〜ｄ，１０２，１０２ａ〜ｃで示した部分に相当する。
【００２２】
図２２で、ヒューズホルダーの電極１３０と１３１は、そこに挿入されるヒューズの接続端子１２１を少しきつめに挟んで固定するように形成されている。すなわち、電極１３０の符号１３０ａで示した部分と電極１３１の符号１３１ｂで示した部分とで接続端子１２１の符号１２１ａで示した部分と符号１２１ｂで示した部分をきつく挟み込んでおり、それぞれの接触部分で電気的接続がなされている。電極１３０と電極１３１は図示していないところで電気的に接続されている。
【００２３】
電極１３２および１３３と接続端子１２２の間の電気的接続についても電極１３０および１３１と接続端子１２１の場合と同様であり、図２２の符号１３２，１３２ａ，１３３，１３３ｂ，１２２，１２２ａ，１２２ｂで示した部分がそれぞれ前記符号１３０，１３０ａ，１３１，１３１ｂ，１２１，１２１ａ，１２１ｂで示した部分に相当する。
【００２４】
衆知のように、自動車は走行中に激しい振動を生じるが、その振動によっても前記ヒューズホルダーの電極に装着されているヒューズがはずれないように、比較的強い力でヒューズが前記ヒューズホルダーの電極に挟み込まれて保持されている。
【００２５】
図２２のようなヒューズホルダーの電極にヒューズを差し込んで使用すると、本発明者らの調査によると強い発熱を生じるが、ヒューズ本体を溶断することがないような発熱のため、一般には特に大きくクローズアップされていない。
【００２６】
図２３は図２２を用いて説明したタイプのヒューズホルダーに装着されて使用されたヒューズの接続端子の状況を説明する図である。
【００２７】
図２３で、符号１２１ｃと１２２ｃはヒューズの接続端子の表面全面にメッキが施されている接続端子表面、１２１ｄと１２２ｄはそれぞれヒューズホルダーの電極の図２２に符号１３０ａと１３２ａで示した部分によって強く圧接されていた結果生じた傷痕である。
【００２８】
前記乗用車の電気回路に用いられているヒューズは、衆知のように、その一対の接続端子とヒューズ本体が、その母材が亜鉛を主成分とする金属で、たとえば型を用いた加工によって一体に作られている。
【００２９】
ヒューズの接続端子の中には、その表面に銀メッキや錫メッキが施されているものもあり、メッキが施されていないものもある。
【００３０】
銀メッキは電気的接続の安定性を向上させる効果がある。衆知のように、亜鉛合金に直接銀メッキを施すことは実用的には行われておらず、多くの場合、亜鉛合金の上に銅メッキを行い、その上にニッケルメッキを施し、その上に銀メッキを施している。
【００３１】
電気的接点の観点からは、銀は表面の変化が心配されており、電気接点には特によい表面材質とは評価されていない。微少な信号を正確に伝送する必要があるなどの特に精密な電気接点における表面材質としては金が好ましいとされている。この接点用の金表面は、例えば時計のケースや宝飾品などの金メッキなどとは異なる技術が要求されている。
【００３２】
また、電気接点用の金メッキに限らず、金メッキのコストは高い。したがって、金メッキの必要性が強く認識されていない電気部品には金メッキが用いられないのが通常である。金色をしていることを表現するだけを目的とした極めて薄い金薄層、たとえば金薄層の厚みが０．０１μｍの金メッキを施したヒューズの場合などは、コストは安いが、電気的特性も期待できないので、電気接点の品質を考えた金メッキとは異質なものということができる。
【００３３】
前記自動車用ヒューズの場合は、精密電気装置における電気接点の場合とは事情が異なると見なされており、金に比較してコストが大幅に低減される銀メッキが、ある程度良好な電気的接続特性を維持するということを想像させる効果も期待して採用されている。
【００３４】
図２３に例示したような傷１２１ｄ，１２２ｄは、ヒューズとしての電気的接続上は特に問題視されておらず、現在は外見上特に問題にすべきものとは見なされておらず、強い改善の要求も出さておらず、一般には仕方がないものとされている。
【００３５】
しかしながら、本発明の発明者は、このヒューズを改善すれば自動車の性能をさらに改善することができることを提案した。
【００３６】
文献１には、液体窒素などを用いて低温処理した自動車用のヒューズを用いて自動車の性能を改善することが提案されている。
【００３７】
図２４は、中級クラスの乗用車の電気回路をブロック図で説明するものである。以下、各ブロックの従来知られている部分については詳細な説明を省略し、文献１に記載の発明に関係の深い部分を重点的に説明する。また、図２４の配線についても通常の電気回路と同様、概念的に表してある。
【００３８】
図２４において、符号３は電池、４ａ〜４ｇはヒューズ、５ｂ〜５ｇはスイッチ、６は自動車エンジンのスタータ系回路部分、７は燃料制御系回路部分、８はコンピュータ、９はイグニッション系回路部分、１０はエアコンコンディショナー系回路部分、１１は音響装置、１２ａ〜１２ｄ，１３ａ〜１３ｄ，１４ａ〜１４ｄ，１５ａ〜１５ｄ，１６ａ〜１６ｄ，１７ａ〜１７ｄ，１８〜２５は電気的接続を得るための配線を示す。図２４に示した自動車の電気回路のこれら各部分は衆知のものであり、ここでその詳細の説明は省略する。
【００３９】
文献１には、図２４に示した電気回路を有する中級クラスといわれている乗用車に、文献１に記載の発明のヒューズを用いた場合と従来のヒューズを用いた場合とについて、乗用車のエンジン音の静かさ、スタートの快適さ、乗り心地、燃費、音響装置の音質などの比較評価を行った結果、文献１に記載の発明のヒューズを用いたときの方が従来のヒューズを用いたときよりも、エンジン音は明確に低くなり、スタートの快適さもはっきり良く、スタートが早くなり、乗り心地は快適で音が静かで振動が少なくなり、燃費は約１５％向上し、音響装置としてのステレオの音質が明確に良くなるという著しい効果をもたらしたことが記載されている。
【００４０】
さらに、本発明の発明者による検討の結果、乗用車の車種として、上記中級クラスの乗用車よりも廉価なものと高価なものをそれぞれ複数台ずつ用意して、文献１に記載の発明のヒューズと従来のヒューズを用いて比較実験を行ったところ、文献１に記載の発明のヒューズを用いたときの方が従来のヒューズを用いたときよりも、エンジン音は明確に低くなり、スタートの快適さもはっきり良く、スタートが早くなり、乗り心地は快適で音が静かで振動が少なくなり、燃費が向上し、音響装置としてのステレオの音質が明確に良くなるという著しい効果をもたらすという評価結果を得た。
【００４１】
しかしながら、自動車のユーザからは、文献１に記載の発明による自動車の性能改善には確かに著しいものがあるが、自動車のさらなる性能の改善の要望が強く出されている。
【００４２】
【特許文献１】特開２００４−１４４９１
【発明の開示】
【発明が解決しようとする課題】
【００４３】
以上説明したように、主として第一種の改善と第二種の改善による自動車の性能の改善が多数提案されており、その結果自動車の性能がかなり良くなってきてはいるが、ユーザからはさらなる自動車の性能改善の要望が強くだされている。そして、その解決策は、多くの場合、従来の価格の高い乗用車を選択するという解決策や自動車の選別に頼るという解決策などが考えられている。
【００４４】
乗用車においても、一つずつ念入りに調整して製造することはある程度行われているが、製造コストの観点から制約があるのみならず、現在の改良工夫の延長線上での調整では前記ユーザのニーズを満足させることができないのが実状である。
【００４５】
そのため、従来の乗用車においては、高級品といわれる製品においても、エンジン音の大きさ、燃費の良さ、音質の良さなどのバラツキは止むを得ないものと思われていた。
【００４６】
このような状況下において提案されたのが第三種の改善であり、第三種の改善による自動車の性能の改善が少しずつ認められてきており、第一種の改善と第二種の改善による自動車の性能の改善と併用して効果をあげている。
【００４７】
その上で、ユーザーからは、従来難しいと考えられていた発進特性のさらなる向上、エンジン音のさらなる低下、燃費のさらなる向上、音質のさらなる向上を図った自動車や音響装置の実現が強く望まれている。
【００４８】
本発明はこのような点に鑑みて成されたものであり、本発明の目的は、第四種の改善ということもできる、自動車に取り付けることによって、たとえば、発進特性をさらに良くし、エンジン音をさらに小さくし、燃費をさらに良くするなどの自動車の基本的な性能を改善することができる新規の電子部品を安価に提供すること、その新規の電子部品を自動車の電気回路に用いて自動車の性能を改善する新規の方法を提供すること、その新規の電子部品及び自動車の調整方法を用いて性能を改善された自動車を安価に提供するところにある。
【課題を解決するための手段】
【００４９】
自動車の発進特性をさらに良くすること、燃費をさらに良くすること、エンジン音をさらに小さくすること、ステレオの音質をさらによくすることなどのような自動車の性能を改善するために多くの努力が払われている。
【００５０】
自動車の性能を改善するための手段として、前記の如く第一種〜第三種の改善が行われているが、本発明の発明者は、さらに、第四種の改善ともいうべき新規の電子部品を提案する。
【００５１】
自動車の基本的な性能に寄与するファクターは、多くの研究の結果、衆知のように、かなりの部分が解明されており、それに基づいて多くの改善が行われてきたことは前記の如くであるが、未だ解明されていないことも多いように思われる。
【００５２】
たとえば自動車の電気回路に生じるノイズの影響に関しては未だ十分に解明されているとはいい難い状況にある。
【００５３】
自動車の電気回路には、たとえば、エンジンの制御に関する信号や音響設備のための信号など、その回路における必要な信号が流れているが、前記必要な信号のほかに非常に複雑なノイズ信号が重畳されて流れている。
【００５４】
この複雑なノイズ信号は、多くの場合、できるだけ小さくなるように回路が構成されており、その結果、現在の自動車が実用化されている。
【００５５】
しかしながら、前記ノイズの影響については、マクロな検討きりなされておらず、たとえば、ステレオについていえば、普通の専門家が評価できる範囲ではかなり良くなっているが、極めて高度な専門家にとっては決して満足できるレベルに至っていない。
【００５６】
どのようなノイズが自動車の性能にどのように影響しているかについては、決して十分に理解されているとはいえないのが現状である。そして、ノイズ除去対策に関しては、その悪影響がわかっているか、あるいは悪影響がありそうだと思われているノイズに関するもので十分であると考えられているのが現状であり、それ以上の対策はコストアップを招くこともあって、真剣に取り組まれていないのが現状といえる。
【００５７】
本発明を発想するに当たって、たとえば、自動車のエンジン制御方法、各構成部分の自動車の性能への寄与等を検討した。当然、自動車の電気回路の種々のノイズについても検討した。
【００５８】
前記のように、本発明の目的は、単に自動車の電気回路のノイズを低減することではなく、自動車の発進特性や燃費のような自動車の性能を改善することができる新規の電子部品を安価に提供すること、その新規の電子部品を用いて自動車の性能を改善することができる方法を提供すること、ならびに、性能を改善した自動車を安価に提供するところにある。もちろん、電気回路で有害とされているノイズの低減も静かな自動車の実現という意味で自動車の性能の改善ということができる。
【００５９】
本発明の発明者等は、ノイズの問題も含めて、自動車の各特性を考察しつつ、種々の仮説を立てて、電子部品を作成し、その電子部品を電気回路に接続し、それによる諸特性の変化を調べた。その結果を用いて作成した電子部品を自動車に取り付け、自動車の性能の変化を調べた。
【００６０】
本発明の発想過程におけるこれら種々の検討の結果、前記課題を解決する手段として、第四種の改善ともいうべき、後述のような本発明による新規の電子部品を用いて、自動車の性能を改善することができることを見出した。
【００６１】
自動車の性能を改善するために用いる本発明の新規の電子部品は、単に前記自動車の性能を改善するだけにとどまらず、自動車の電気回路に取り付けた状態で、消費電力の増大が極めて小さく、小型であることが望ましく、その条件を満たすことができるように検討した。
【００６２】
本発明の目的を達成するための手段として、本発明では、半導体のｐｎ接合の順方向接続特性と逆方向接続特性の特殊な用い方を利用し、一般には好んで用いられない、本発明の電子部品を電気回路に接続したときに順方向接続状態になるようにしたｐｎ接合を有する半導体素子を少なくとも１個と逆方向接続状態になるようにしたｐｎ接合を有する半導体素子を少なくとも１個とを直列に接続したことを基本とする回路要素を有する電子部品を安価に提供できるようにし、前記電子部品を提供すること、あるいは、前記電子部品を用いて自動車の性能を改善する方法を提供すること、あるいは、電子部品を自動車の電気回路に装着して性能を改善した自動車を提供することに関するいくつかの発明を提案する。
【００６３】
前記課題を解決するための手段としての請求項１に記載の本発明の自動車の調整方法は、自動車の電気回路に接続することができる電子部品を接続して自動車の性能を改善することができる自動車の調整方法であって、前記電子部品が少なくとも１つの回路要素を有しており、前記回路要素は、前記電子部品が前記電気回路に接続された状態で順方向接続状態になる半導体のｐｎ接合を利用した素子としてのダイオードあるいはダイオードと実質的に同様の順方向特性ならびに逆方向特性を有する半導体素子（以下、前記ダイオードあるいはダイオードと実質的に同様の順方向特性ならびに逆方向特性を有する素子のことをダイオードと称する）を少なくとも１つ有する第１の部品と、前記電子部品が前記電気回路に接続された状態で逆方向接続状態になる半導体のｐｎ接合を利用した素子としてのダイオードを少なくとも１つ有する第２の部品とを有しているとともに、前記第１の部品と第２の部品が前記回路要素において直列接続の関係にあるという特徴を有する回路要素であり、前記自動車の調整方法は、前記電子部品を自動車の電気回路中の配線の電位差を有する２点間に接続することであることを特徴とする自動車の調整方法である。
【００６４】
請求項２に記載の本発明の自動車の調整方法は、請求項１に記載の自動車の調整方法において、少なくとも１つの前記回路要素は、前記直列接続関係にある第１の部品と第２の部品の他に、抵抗とコイルとコンデンサのうちの少なくとも一つを有する以下において関連部品とも称する部品を有しており、前記関連部品の値あるいは接続の仕方を代えることによって自動車の性能を調整することを特徴とする自動車の調整方法である。
【００６５】
請求項１または２に記載の発明をすでに製造された自動車に実施して、本発明を実施する前と実施後の自動車の発進特性や音の質などの自動車の性能を調べたところ、発明を実施前の自動車に比べて発明を実施後の自動車の方が発進特性が明確に良くなり、音響設備の音が良くなり、騒音が静かになるなど、本発明の実施によって自動車の性能がはっきり改善されることがわかった。
【００６６】
なお、本発明の自動車の調整方法は、前記請求項１または２に記載の自動車の調整方法に狭く限定されるものではなく、その基本となる技術思想の適用による、多くの実施態様を有するものである。
【００６７】
本発明の自動車の調整方法の実施態様（本発明の自動車の調整方法の実施態様のことを、以下において、方法態様とも称する）の例を以下に説明する。
【００６８】
方法態様１としての本発明の自動車の調整方法は、請求項１に記載の自動車の調整方法における少なくとも１つの前記回路要素が、直列接続関係にある前記第１の部品と第２の部品の他に前記第１の部品および第２の部品と直列接続の関係にある第３の部品を有していることを特徴とする自動車の調整方法である。
【００６９】
方法態様２としての本発明の自動車の調整方法は、方法態様１に記載の自動車の調整方法において、前記第３の部品が抵抗を用いた部品であることを特徴とする自動車の調整方法である。
【００７０】
方法態様３としての本発明の自動車の調整方法は、請求項１あるいは方法態様１または２に記載の自動車の調整方法において、少なくとも１つの前記回路要素が、前記直列接続関係にある第１の部品と第２の部品の他に前記第１の部品および第２の部品と直列接続の関係にある第４の部品を有していることを特徴とする自動車の調整方法である。
【００７１】
方法態様４としての本発明の自動車の調整方法は、方法態様２または３に記載の自動車の調整方法において、前記第３の部品と前記第４の部品の少なくとも一方がコイルを有していることを特徴とする自動車の調整方法である。
【００７２】
方法態様５としての本発明の自動車の調整方法は、方法態様２〜４のいずれかに記載の自動車の調整方法において、前記第３の部品と前記第４の部品の少なくとも一方がコンデンサを有していることを特徴とする自動車の調整方法である。
【００７３】
方法態様６としての本発明の自動車の調整方法は、方法態様３〜５のいずれか１項に記載の自動車の調整方法において、少なくとも１つの前記回路要素が、前記直列接続関係にある第１の部品と第２の部品のいずれか一方とは直列説続関係に他方とは並列接続関係に、かつ、前記第４の部品とも並列接続関係に配置されているコンデンサを有していることを特徴とする自動車の調整方法である。
【００７４】
方法態様７としての本発明の自動車の調整方法は、請求項１または２または方法態様１〜６のいずれかに記載の自動車の調整方法において、前記電子部品は並列に接続された少なくとも２つの前記回路要素を有していることを特徴とする自動車の調整方法である。
【００７５】
方法態様８としての本発明の自動車の調整方法は、方法態様７に記載の自動車の調整方法において、前記電子部品が、それを構成する全ての前記回路要素に共通に直列接続されている第５の部品を有していることを特徴とする自動車の調整方法である。
【００７６】
方法態様９としての本発明の自動車の調整方法は、方法態様８に記載の自動車の調整方法において、前記第５の部品が抵抗とコイルとコンデンサの少なくとも一つを有する部品であることを特徴とする自動車の調整方法である。
【００７７】
方法態様１０としての本発明の自動車の調整方法は、請求項１または２または方法態様１〜９のいずれかに記載の自動車の調整方法において、前記電子部品が自動車の電気的部品を接続するこができる端子に接続することができる部品として構成されていることを特徴とする自動車の調整方法である。
【００７８】
方法態様１１としての本発明の自動車の調整方法は、方法態様１０に記載の自動車の調整方法において、前記電子部品が、自動車の電気回路の電源供給ソケットまたはそれと実質的に同等のソケットなどの端子に着脱可能に接続することができる部品としてケース等に実装されていることを特徴とする自動車の調整方法である。
【００７９】
方法態様１２としての本発明の自動車の調整方法は、方法態様１１に記載の自動車の調整方法において、前記電子部品を接続することができる自動車の電気回路のソケットなどの端子が、タバコに火を付けることができる自動車の部品であるシガレットライターあるいはそれと実質的に同等の機能を有する部品を接続することができるソケットなどの端子であることを特徴とする自動車の調整方法である。
【００８０】
方法態様１３としての本発明の自動車の調整方法は、方法態様１１または１２に記載の自動車の調整方法において、前記電子部品のケースに、少なくとも１つの前記回路要素と並列に自動車用の付属部品を接続することができるソケットなどの端子が設けられているれていることを特徴とする自動車の調整方法である。
【００８１】
方法態様１４としての本発明の自動車の調整方法は、請求項１または２または方法態様１〜１３のいずれかに記載の自動車の調整方法において、前記第１の部品と前記第２の部品の少なくとも一部がトランジスタの一部を用いた素子であることを特徴とする自動車の調整方法である。
【００８２】
方法態様１５としての本発明の自動車の調整方法は、請求項１または２または方法態様１〜１４のいずれかに記載の自動車の調整方法において、前記第１〜第５の部品の少なくとも一部が半導体集積回路に形成されていることを特徴とする自動車の調整方法である。
【００８３】
方法態様１〜１５に記載の各発明の効果については、それを用いた自動車に関する発明である請求項３以降の請求項あるいは実施の形態例に記載のいずれかの発明の効果と重複することが多いので、自動車に関する発明の効果の説明で兼ねることにする。
【００８４】
前記課題を解決するための手段としての請求項３に記載の性能を改善された本発明の自動車は、電子回路と電気回路のいずれか一方あるいは双方を、以下、単に電気回路とも称することにして、自動車の電気回路に接続して自動車の性能を改善することができる電子部品を少なくとも１つ装着した自動車において、前記電子部品は少なくとも１つの回路要素を有しており、前記回路要素は、前記電子部品が前記電気回路に接続された状態で順方向接続状態になる半導体のｐｎ接合を利用した素子としてのダイオードあるいはダイオードと実質的に同様の順方向特性ならびに逆方向特性を有する半導体素子（以下、前記ダイオードあるいはダイオードと実質的に同様の順方向特性ならびに逆方向特性を有する素子のことをダイオードと称する）を少なくとも１つ有する第１の部品と、前記電子部品が前記電気回路に接続された状態で逆方向接続状態になる半導体のｐｎ接合を利用した素子としてのダイオードを少なくとも１つ有する第２の部品とを有しているとともに、前記第１の部品と第２の部品が前記回路要素において直列接続の関係にあるという回路要素であることを特徴とする自動車である。
【００８５】
本発明の部分を除いた部分が従来の自動車（以下、従来自動車ともいう）と同じ設計の自動車に請求項３に記載の発明を実施して自動車を製造して、本発明を実施しない従来自動車と前記本発明を実施した自動車の発進特性や音の質などの自動車の性能を調べたところ、従来自動車に比べて発明を実施した自動車の方が発進特性が明確に良くなり、音響設備の音が良くなり、騒音が静かになるなど、本発明の実施によって自動車の性能がはっきり改善されたことがわかった。
【００８６】
なお、本発明の自動車は、前記請求項３または以下に説明する各請求項に記載の自動車に狭く限定されるものではなく、その基本となる技術思想の適用による、多くの実施態様を有するものである。
【００８７】
本発明の自動車の実施態様（本発明の自動車の実施態様のことを、以下において、自動車態様とも称する）の例を以下において、各請求項に記載の発明に適宜加えて説明する。
【００８８】
請求項４に記載の本発明による自動車は、請求項３に記載の自動車において、少なくとも１つの前記回路要素を構成する前記第１の部品と第２の部品の少なくとも一方が、接続状態が同一の状態すなわち順方向接続状態と逆方向接続状態のうちのいずれか一方の状態である少なくとも２つのダイオードが並列に接続されている部品であることを特徴とする自動車である。
【００８９】
自動車態様１としての本発明の自動車は、請求項４に記載の自動車において、前記回路要素の少なくとも１つを構成する前記第１の部品と第２の部品の少なくとも一方を構成している前記並列に接続されている少なくとも２つのダイオードが、電流−電圧特性の異なるダイオードであることを特徴とする自動車である。
【００９０】
請求項４と自動車態様１に記載の本発明により、本発明の適用範囲を広げることができる。
【００９１】
請求項５に記載の本発明による自動車は、請求項３または４に記載の自動車において、少なくとも１つの前記回路要素は、直列接続関係にある前記第１の部品と第２の部品の他に前記第１の部品および第２の部品と直列接続の関係にある第３の部品を有しており、前記第３の部品は固定抵抗と可変抵抗の少なくとも一方を有していることを特徴とする自動車。
【００９２】
請求項５に記載の本発明により、第１の部品としてのダイオードと第２の部品としてのダイオードを標準品にすることができ、前記第３の部品を調整して本発明の電子部品を適用できる車種の範囲を広くすることができる。
【００９３】
請求項６に記載の本発明による自動車は、請求項３〜５のいずれか１項に記載の自動車において、少なくとも１つの前記回路要素は、前記直列接続関係にある第１の部品と第２の部品の他に前記第１の部品および第２の部品と直列接続の関係にある第４の部品を有しており、前記第４の部品はコイルとコンデンサの少なくとも一方を有しいていることを特徴とする自動車。
【００９４】
自動車態様２としての本発明の自動車は、請求項６に記載の自動車において、前記コンデンサが前記コイルに並列に接続されていることを特徴とする自動車である。
【００９５】
請求項７に記載の本発明による自動車は、請求項６に記載の自動車において、少なくとも１つの前記回路要素は、前記直列接続関係にある第１の部品と第２の部品のいずれか一方とは直列説続関係に他方とは並列接続関係に、かつ、前記第４の部品とも並列接続関係に配置されているコンデンサを有していることを特徴とする自動車である。
【００９６】
自動車態様３としての本発明の自動車は、請求項７に記載の自動車において、前記コンデンサの一方の端子が前記電子部品の一方の接続端子に接続されているか、前記電子部品が電気回路に接続された状態で前記電子部品の一方の接続端子に接続されているのと等価な状態になるように配置されていることを特徴とする自動車である。
【００９７】
請求項８に記載の本発明による自動車は、請求項３〜７のいずれか１項に記載の自動車において、前記電子部品が、前記直列接続関係にある第１の部品と第２の部品のいずれかに並列に接続され、かつ、他方には直列に接続された少なくとも１つのコンデンサを有していることを特徴とする自動車である。
【００９８】
請求項６〜８に記載の本発明により、本発明の前記効果の当てはまるものに加えて、自動車の性能を車種と要望に対応して、より適切に改善することができる。
【００９９】
請求項９に記載の本発明による自動車は、請求項３〜８のいずれか１項に記載の自動車において、前記電子部品が並列に接続された少なくとも２つの前記回路要素を有していることを特徴とする自動車である。
【０１００】
自動車態様４としての本発明の自動車は、請求項９に記載の自動車において、前記並列に接続された少なくとも２つの前記回路要素が電気的特性が異なる回路要素であることを特徴とする自動車である。
【０１０１】
請求項１０に記載の本発明の自動車は、請求項９または自動車態様４に記載の自動車において、前記電子部品が、それを構成する少なくとも２つの前記回路要素に共通に直列接続されている第５の部品を有していることを特徴とする自動車である。
【０１０２】
自動車態様５としての本発明の自動車は、請求項１０に記載の自動車において、前記第５の部品が抵抗とコイルの少なくとも一方を有する部品であることを特徴とする自動車である。
【０１０３】
自動車態様６としての本発明の自動車は、請求項１０または自動車態様５に記載の自動車において、前記第５の部品が抵抗とコイルの少なくとも一方と並列接続関係にあるコンデンサを有する部品であることを特徴とする自動車である。
【０１０４】
請求項１１に記載の本発明による自動車は、請求項３〜１０のいずれか１項に記載の自動車において、少なくとも１つの前記回路要素の前記直列接続関係にある第１の部品と第２の部品の間に一方の端子が接続されているとともに他方の端子が前記電子部品の前記第５の部品が配置されている側の接続端子に接続されているか、前記電子部品が電気回路に接続された状態で前記電子部品の一方の接続端子に接続されているのと等価な状態になるように配置されていることを特徴とする自動車である。
【０１０５】
請求項１２に記載の本発明による自動車は、請求項３〜１１のいずれか１項に記載の自動車において、前記電子部品が、自動車の電気回路の配線のうちで、エンジン作動制御のために、エンジン点火に関する信号や燃料制御に関する信号を扱う回路の少なくとも一カ所に配置されていることを特徴とする自動車である。
【０１０６】
請求項１３に記載の本発明による自動車は、請求項３〜３７のいずれか１項に記載の自動車において、前記電子部品が、自動車の電気回路の配線のうちで、スイッチやリレーなどのような使用時あるいは不使用時に解放端になるように構成されている端部近傍の配線あるいは前記解放端に配置されていることを特徴とする自動車である。
【０１０７】
請求項１４に記載の本発明による自動車は、請求項３〜１３のいずれか１項に記載の自動車において、前記電子部品が、タバコに火を付けることができる自動車の部品であるシガレットライターを接続することができるソケットなどの自動車の電気回路の電源供給端子に着脱可能に接続することができる付属部品としてケース等に実装されていることを特徴とする自動車。
【０１０８】
すなわち、本発明による自動車は、請求項３〜３７のいずれか１項に記載の自動車において、前記電子部品が、自動車の電気回路の電源供給ソケットまたはそれと実質的に同等のソケットなどの端子に着脱可能に接続することができる付属部品としてケース等に実装されていることを特徴とする自動車であり、前記電子部品を接続することができる自動車の電気回路のソケットなどの端子として、タバコに火を付けることができる自動車の部品であるシガレットライターあるいはそれと実質的に同等の機能を有する部品を接続することができるソケットなどの端子を使用することができる。
【０１０９】
本発明における電子部品は、多くのバリエーションを可能としている。
【０１１０】
自動車態様７としての本発明の自動車は、請求項１４に記載の自動車において、前記電子部品に少なくとも１つの前記回路要素と並列に自動車用の付属部品を接続することができるソケットなどの端子が設けられていることを特徴とする自動車である。
【０１１１】
自動車態様８としての本発明の自動車は、請求項１４または自動車態様７に記載の自動車において、前記電子部品に少なくとも１つの前記回路要素と並列に、タバコに着火することができる部品と香りを発生することができる部品とマイナスイオンを発生させることができる部品と照明装置のうちの少なくとも一つが接続されていることを特徴とする自動車である。
【０１１２】
自動車態様９としての本発明の自動車は、請求項１４または自動車態様７または自動車態様８に記載の自動車において、前記可変抵抗の抵抗値を変える手段が前記電子部品のケース等に設けられていることを特徴とする自動車である。
【０１１３】
請求項４〜１４あるいは自動車態様１〜９に記載の本発明により、本発明の前記効果の当てはまるものに加えて、自動車の性能を、たとえば発進特性をスピーディーにすなわち切れの良い発進特性を有するようにしたり、ゆったりとなめらかに発進する発進特性を有するようにしたり、車種と要望に対応してきめ細かな改善を施すことができる。
【０１１４】
自動車態様１０としての本発明の自動車は、請求項３〜１４あるいは自動車態様１〜９のいずれかに記載の自動車において、前記第１の部品と前記第２の部品の少なくとも一部がトランジスタの一部を用いた素子であることを特徴とする自動車である。
【０１１５】
請求項１５に記載の本発明による自動車は、請求項３〜１４あるいは自動車態様１〜９のいずれかに記載の自動車において、前記第１〜第５の部品の少なくとも一部が半導体集積回路の一部に形成されていることを特徴とする自動車である。
【０１１６】
請求項１４や自動車態様１０に記載の本発明により、本発明の前記効果の当てはまるものに加えて、本発明の電子部品のコストを下げたり、小型化をしたり、改善レベルを一層向上させたりなど、本発明の効果を一層高めることができる。
【０１１７】
請求項１６に記載の本発明による自動車は、請求項３〜１５のいずれか１項に記載の自動車において、運転席の近傍など自動車の一部に取り付けられている操作パネルやテレビジョンやカーナビゲーション装置などの表示画面のうちの少なくとも一部に、自動車の電気回路における前記電子部品の接続状態や前記各部品の調整状態などのような前記電子部品に関する情報を表示することができることを特徴とする自動車である。
【０１１８】
請求項１７に記載の本発明による自動車は、請求項３〜１６のいずれか１項に記載の自動車において、運転席の近傍など自動車の一部に取り付けられている操作パネルやテレビジョンやカーナビゲーション装置などの表示画面のうちの少なくとも一部を介して前記電子部品の自動車の電気回路への接続状態や前記各部品の調整状態を変更することができることを特徴とする自動車である。
【０１１９】
請求項１６や１７に記載の本発明により、たとえば自動車の製造過程あるいは製造後において、本発明の電子部品の状態を自動車に望まれる特性改善状態により近づけることができるなど、本発明の効果を一層高めることができる。
【発明の効果】
【０１２０】
前記例のような本発明の種々の電子部品を、一例として、自動車のシガレットライター（タバコに点火するための衆知の部品）用の端子に接続することができるように、ケースに実装した状態に作成し、ガソリン車、ハイブリッド車、ジーゼル車など各種の自動車のシガレットライター用の接続端子に挿入して自動車の電気回路に接続し、自動車の性能の変化を調べた。その結果、次のことがわかった。
【０１２１】
本発明の電子部品は、前記電子部品の電気的特性を適宜設定してそれを自動車の電気回路に用いたときに、前記電子部品の電気的特性の選択によって諸効果の程度に差はあるが、自動車の発進特性の改善、燃費の低減、エンジン音の低下、乗り心地を害する不快な振動と音の低減、有害排気ガスの低減等の効果のうちの少なくとも１つの性能に関して顕著な改善をもたらすという大きな効果をもたらし、発進特性など自動車の基本的性能と音響装置の音質の著しい向上をもたらすという大きな効果を発揮することがわかった。
【０１２２】
そして、本発明は、前記電子部品を例えば乗用車の電気回路に装着して本発明を実施した場合、従来は高級車として評価されていなかったクラスの乗用車の性能を高級車のような性能に高めることができるという大きな効果を発揮し、性能の優れた自動車を安価に提供することができるという大きな効果を発揮する。
【０１２３】
本発明による自動車の性能向上は著しいものがあり、本発明は、自動車産業の発展ならびに自動車を利用する産業の発展に大きく寄与するものであり、自動車による環境汚染を改善する効果をもたらすものである。
【発明を実施するための最良の形態】
【０１２４】
以下、図面を参照して本発明の実施の形態の例について説明する。なお、説明に用いる各図は本発明の例を理解できる程度に各構成成分の寸法、形状、配置関係などを概略的に示してある。そして本発明の説明の都合上、部分的に拡大率を変えて図示する場合もあり、本発明の例の説明に用いる図は、必ずしも実施例などの実物や記述と相似形でない場合もある。また、各図において、同様な構成成分については同一の番号を付けて示し、重複する説明を省略することもある。
【０１２５】
本発明の基本技術は、半導体のｐｎ接合の順方向接続特性と逆方向接続特性の特殊な用い方をし、一般には好んで用いられない、本発明の電子部品を電機回路に接続したときに順方向接続状態になるようにしたｐｎ接合を有する半導体素子を少なくとも１個と逆方向接続状態になるようにしたｐｎ接合を有する半導体素子を少なくとも１個とを直列に接続したことを基本とする回路要素を利用した電子部品を電気回路に接続して、自動車の特性を改善するところにある。
【０１２６】
前記各発明の開示の項でも説明したように、本発明の自動車の調整方法は、前記本発明の基本技術を用いた電子部品を用いて自動車の性能を改善することができる調整方法である。本発明の電子部品とそれを用いた自動車を中心に本発明の説明をすることによって、自動車の性能を改善することができる調整方法についても実質的に説明したことになる場合が多いため、以下において、本発明の電子部品とそれを用いた自動車を中心に本発明の実施の形態例の説明することにし、それによって本発明の調整方法の説明にも代えることにし、特に必要な場合を除いて、説明の重複を避けることにする。
【０１２７】
図１は、本発明の実施の形態例としての電子部品の主要部分である回路要素の例を説明する図で、最も簡単な回路要素の一例である。符号１５０は本発明による電子部品、１５１は第１の部品としてのｐｎ接合を有する半導体素子であるダイオード、１５２は第２の部品としてのｐｎ接合を有する半導体素子であるダイオード、１５１ｎはダイオード１５１のｐｎ接合のｎ極側、１５２ｎはダイオード１５２のｐｎ接合のｎ極側、  １５１ｐはダイオード１５１のｐｎ接合のｐ極側、１５２ｐはダイオード１５２のｐｎ接合のｐ極側、１５４と１５５は電子部品１５０を電気回路に接続することができる接続端子、１５６は第１の部品１５１と第２の部品１５２の接続部、１５９は回路要素である。
【０１２８】
図１の回路図からも明らかなように、電子部品１５０は、図１の回路図において示されているように、第１の部品としてのｐｎ接合を有する半導体素子であるダイオード１５１が、半導体のｐｎ接合のｎ側１５１ｎが第２の部品であるダイオード１５２が接続されている側とは反対側になるように（すなわち、接続端子１５４側になるように）配置され接続ており、第２の部品としてのｐｎ接合を有する半導体素子であるダイオード１５２が、半導体のｐｎ接合のｐ側１５２ｎが第１の部品であるダイオード１５１が接続されている側とは反対側になるように（すなわち、接続端子１５５側になるように）配置され接続ている。
【０１２９】
電子部品１５０を電気回路に接続したときに、第１の部品１５１がダイオードのｐｎ接合が順方向接続状態になる場合には、第２の部品１５２は逆方向接続状態になるように、また、第１の部品１５１がダイオードのｐｎ接合が逆方向接続状態になる場合には、第２の部品１５２は順方向接続状態になるように構成されている。
【０１３０】
電子部品１５０を接続端子１５４と１５５を介して自動車の電気回路に接続し、自動車の電気回路の作動キーを入れ、自動車の発進特性、燃費、エンジン音の静かさなどの自動車の性能を調べたところ、電子部品１５０を自動車の当該電気回路に接続しなかった場合に比べて、自動車の発進特性が大幅に良くなり、燃費がよくなり、エンジン音が静かになった。
【０１３１】
図１の電子部品１５０は、自動車の種類に応じて第１の部品１５１としてのダイオードと第２の部品１５２としてのダイオードの特性を適宜選択することによって自動車の性能改善のレベルをあげることができる。
【０１３２】
本発明の電子部品は、図１の電子部品１５０を基本として、種々の形態をとることができるものである。
【０１３３】
図２は、本発明における電子部品の主要部分としての回路要素の図１とは異なる例を説明する図である。符号１６０は本発明による電子部品、１６９は電子部品１６０の主要部分としての回路要素、１６８ａは回路要素１６９を構成する第１の部品、１６８ｂは回路要素１６９を構成する第２の部品、１６１ａ，１６１ｂ，１６１ｃは第１の部品１６８ａを構成するダイオード、１６２は第２の部品１６８ｂを構成するダイオード、１６４と１６５は電子部品１６０を電気回路に接続することができる接続端子、１６６は第１の部品と第２の部品の接続部である。
【０１３４】
図２に示したように、第１の部品１６８ａは、接続状態を同じにした３個のダイオード１６１ａ，１６１ｂ，１６１ｃが並列に接続されて構成されている。第２の部品１６８ｂは第１の部品を構成する各ダイオードとは逆の接続状態に配置されたダイオード１６２で構成されている。すなわち、接続端子１６４がプラス極（＋極）側に、接続端子１６５がマイナス極（−極）側になるように回路部品１６０を電気回路に接続した場合に、３個のダイオード１６１ａ，１６１ｂ，１６１ｃは逆方向接続状態という同一の接続状態に並列に接続されていることになる。
【０１３５】
図３は、本発明における電子部品の主要部分としての回路要素の図１や図２と異なる例を説明する図である。符号１７０は本発明による電子部品、１７９は電子部品１７０の主要部分としての回路要素、１７８ａは回路要素１７９を構成する第１の部品、１７８ｂは回路要素１７９を構成する第２の部品、１７１ａ，１７１ｂは第１の部品１７８ａを構成するダイオード、１７２ａ，１７２ｂ，１７２ｃは第２の部品１７８ｂを構成するダイオード、１７４と１７５は電子部品１７０を電気回路に接続することができる接続端子、１７６は第１の部品と第２の部品の接続部である。
【０１３６】
図３に示したように、第１の部品１７８ａは接続状態を同じにした２個のダイオード１７１ａ，１７１ｂが並列に接続されて構成されている。第２の部品１７８ｂは第１の部品を構成する各ダイオードとは逆の接続状態に配置されている接続状態を同じにした３個のダイオード１７２ａ，１７２ｂ，１７２ｃが並列に接続されて構成されている。
【０１３７】
すなわち、接続端子１７４が−極側に、接続端子１７５が＋極側になるように回路部品１７０を電気回路に接続した場合に、２個のダイオード１７１ａ，１７１ｂはｐｎ接合のｎ側が−電位にｐ側が＋電位になる順方向接続状態の同一の接続状態に並列に接続されて第１の部品１７８ａを構成しており、３個のダイオード１７２ａ，１７２ｂ，１７２ｃはｐｎ接合のｐ側が−電位にｎ側が＋電位になる逆方向接続状態という同一の接続状態に並列に接続されて第２の部品１７８ｂを構成していることになる。このように、第１の部品１７８ａと第２の部品１７８ｂは、それぞれ同一の接続状態すなわち順方向接続状態か逆方向接続状態のいずれか一方の接続状態に並列に接続された複数のダイオードで構成されているとともに、第１の部品１７８ａと第２の部品１７８ｂは一方が順方向接続状態に他方が逆方向接続状態に接続されて回路要素１７９を構成している。
【０１３８】
図２と図３に示した回路要素を有する本発明の電子部品をその接続端子を介して自動車の電気回路に接続し、自動車の電気回路の作動キーを入れ、自動車の発進特性、燃費、エンジン音の静かさなどの自動車の性能を調べたところ、電子部品を自動車の当該電気回路に接続しなかった場合に比べて、自動車の発進特性が明らかに良くなり、燃費がよくなり、エンジン音が静かになった。
【０１３９】
そして、図２と図３に示した回路要素を構成する各ダイオードとして、異なる特性を有するダイオードを用いることにより、本発明の電子部品を適用して効果をあげることができる自動車の範囲を広げることができた。
【０１４０】
図４は、本発明における電子部品の主要部分である回路要素の例を説明する図で、図１の場合と同様に、最も簡単な回路要素の一例である。図４で、符号１５０ａは本発明による電子部品、１５１ａは第１の部品としてのｐｎ接合を有する半導体素子であるダイオード、１５２ａは第２の部品としてのｐｎ接合を有する半導体素子であるダイオード、１５４ａと１５５ａは電子部品１５０ａを電気回路に接続することができる接続端子、１５６ａは第１の部品１５１ａと第２の部品１５２ａの接続部、１５９ａは回路要素である。
【０１４１】
図４の電子部品は、図１の電子部品と等価な電子部品であるともいえるが、第１の部品としてのダイオードと第２の部品としてのダイオードのｐｎ接合の向きが図１の場合と逆向きになっている例である。前記図１の電子部品１５０に関して説明したこと及びそのバリエーションに関して図２と図３を併用して説明したことが、ダイオードのｐｎ接合の向きの違いとその効果の微妙な違いに関することを除いて、図４の電子部品１５０ａにも基本的に当てはまる。したがって、本発明の以下の説明における各例においては、第１の部品としてのダイオードと第２の部品としてのダイオードのｐｎ接合の向きに関しては、原則として図１の例と同様の例を用いて説明するが、それらの説明は、原則として、図４の例と同様の例を用いた場合にも当てはめることができるものである。
【０１４２】
図１の電子部品１５０と図４の電子部品１５０ａをディーゼル車に用いたところ、両者の場合とも自動車の性能の著しい改善を実現することができたが、電子部品１５０ａを用いた場合に比べて電子部品１５０を用いた場合の方が一層大幅に自動車の性能を改善することができた。
【０１４３】
そして、図１の電子部品１５０と図４の電子部品１５０ａを各構成要素である部品の条件を適切に選んでガソリンを使用する自動車、いわゆるガソリン車に適用したところ、両者の場合とも自動車の性能の著しい改善を実現することができたが、電子部品１５０を用いた場合に比べて電子部品１５０ａを用いた場合の方が一層大幅に自動車の性能を改善することができた。
【０１４４】
本発明の電子部品は、自動車の電気回路に装着した場合に、電気回路における電子部品の特性を適宜調整して、当該自動車の性能向上状況を最高に近づけることができる。
【０１４５】
その調整方法の例として、たとえば図１の回路要素に抵抗を直列に接続する方法、誘導を直列に接続する方法などがあげられる。
【０１４６】
本発明の電子部品を自動車の電気回路に接続して自動車の性能を改善する場合、自動車によっても異なるが、電気回路における前記電子部品の構成要素とその接続方法に関して、適切なところがいくつかある。
【０１４７】
以下にいくつかの実施例を用いて本発明をさらに詳しく説明する。
【実施例１】
【０１４８】
図５は本発明の実施の形態例としての電子部品の回路要素の例を説明する図である。
【０１４９】
図５で、符号２００は本発明の例としての電子部品、２０１は電子部品２００を構成する半導体のｐｎ接合を有する第１の部品としてのダイオード、２０２は電子部品２００を構成する半導体のｐｎ接合を有する第２の部品としてのダイオード、２０３は電子部品２００を構成する第３の部品、２０９は電子部品２００の主要部分としての回路要素、２０４と２０５は電子部品２００を自動車の電気回路に接続する時の端子（接続端子）、２０６は第１の部品と第２の部品の接続部、２０７は第２の部品と第３の部品の接続部である。
【０１５０】
ダイオード２０１と２０２は半導体のｐｎ接合を有しており、図５に示したように、電子部品２００が電気回路に接続された状態で一方が順方向接続になるように、他方が逆方向接続になるように、接続端子２０４と２０５の間に直列に接続されている。
【０１５１】
第３の部品はダイオード２０２と接続端子２０５の間に接続されている。第３の部品は、後述のように、種々の構成が可能である。
【０１５２】
図６は図５の電子部品を構成する第３の部品の例を説明する図で、第３の部品が抵抗からなる例を説明する図であり、固定抵抗２３１と可変抵抗２３２で構成されている。符号２３０は第３の部品、２３４と２３５は端子である。
【０１５３】
図６のように第３の部品を抵抗で構成することにより、何らかの事情によりダイオード２０１と２０２がショート状態になったとしても、電子部品２００の接続端子２０４と２０５の間がショート状態にならないようにできるのみならず、次のような効果をもたらすことができる。
【０１５４】
すなわち、自動車の電気回路は、たとえば端子の目的によって、あるいは配線の位置によって、あるいは自動車のバッテリーの違いによって、あるいはその他の事情によって、本発明の電子部品が接続される電気回路の電気的条件が異なる場合がある。その場合、ダイオードの特性を最適に選択することが望ましい。しかし、ある程度共通性のある特性のダイオードを選定しておき、可変抵抗によって多種類の電気回路に最適な状態で用いることができるなど汎用性に優れた電子部品にすれば、電子部品のコストを下げたり、信頼性を高めたりすることができ、自動車のコストを安くすることができるなど、本発明の電子部品としての高い効果を発揮できるようにすることができる。
【０１５５】
電子部品２００を、たとえば自動車のシガレットライターと同様のケースに実装し、自動車のシガレットライター用のソケットに装着して自動車の性能を改善する場合、あるいは、たとえば後述のような自動車の電気回路中のエンジン制御回路に組み込んで自動車の性能を改善する場合、
など、固定抵抗２３１を適切に選んでおき、さらにそれらの各場合に応じて可変抵抗２３２を当該自動車の性能変化を調べながら最適値と見なされる状態に設定することにより、当該自動車の性能を極めて良好な状態に改善することができる。
【０１５６】
また、第３の部品を抵抗で構成する場合、固定抵抗と可変抵抗の代わりに、図６の場合のような効果を発揮させるために、あらかじめ実験によって決めておいた図６の可変抵抗２３２に相当する抵抗値を固定抵抗２３１の抵抗値に含めた固定抵抗を用いることができる。この場合、汎用性は可変抵抗の場合よりも低くなるが、部品コストを安くできる上に、可変抵抗の変化による効果の変動や調整ミスなどによる好ましくない問題発生を防ぐことができる。
【０１５７】
図７は本発明の実施の形態例としての電子部品の回路要素の例を説明する図である。
【０１５８】
図７で、符号２１０は本発明の例としての電子部品、２１９は電子部品２１０の主要部分としての回路要素、２１４と２１５は電子部品２００を電気回路に接続する時の接続端子、２１６は第１の部品と第３の部品の接続部、２１７は第３の部品と第２の部品の接続部である。
【０１５９】
ダイオード２０１と２０２は図７に示したように、電子部品２１０が電気回路に接続された状態で一方が順方向接続に、他方が逆方向接続になるように、接続端子２１４と２１５の間に直列に接続されている。
【０１６０】
図５の例と異なることは、第３の部品２０３が第１の部品としてのダイオード２０１と第２の部品としてのダイオード２０２の間に接続されていることである。接続端子２０４と２０５の間にダイオード２０１および２０２と直列に接続されている第３の部品は、前述のように、種々の構成が可能である。
【０１６１】
図５の例と図７の例は電気回路としては同じものということができるが、第３の部品の配置の仕方が電子部品の小型化などに寄与する場合があり、本発明の一例として示したものである。
【０１６２】
図５の例と図７の例において、第１の部品と第２の部品を入れ替えても当然本発明が成り立つものであり、また、第３の部品２０３は図６を用いて説明した導線あるいは抵抗素子に限定されるものでなく、種々の部品を使用することができるものである。
【０１６３】
図５〜図７を用いて説明した前記実施例は、第１の部品としてのダイオードと第２の部品としてのダイオードに、各ダイオードのｐｎ接合の向きが図１における向きと同様のダイオードを用いて説明したが、図５〜図７の各ダイオードに図４における第１の部品としてのダイオードと第２の部品としてのダイオードの各ｐｎ接合の向きと同様の当該ダイオードを用いて本発明の電子部品を構成することもできる。
【実施例２】
【０１６４】
実施例１では、半導体のｐｎ接合を有する第１の部品と第２の部品としてダイオードを用いた例を説明した。実施例２として、トランジスタのｐｎ接合部を第１の部品や第２の部品に用いた
例を説明する。
【０１６５】
その一例を示す図８は本発明の電子部品を説明する図で、符号３７０は半導体集積回路を形成させてある基板、３７１は自動車制御用の回路の主要部分、３７３は本発明に使用する電子部品の回路要素の一部である。
【０１６６】
自動車制御用の回路の主要部分３７１には自動車の制御回路の一部が形成されており、回路要素の一部３７３は自動車制御用の回路の主要部分３７１と同じ半導体基板に形成されており、基板内における配線を利用することができる。
【０１６７】
本発明の実施例２として、図８の例とは異なり、図示しないが、個々につくられているトランジスタのｐｎ接合部を第１の部品や第２の部品に用いて、たとえば図１、図４、図５、図７のような本発明の電子部品を構成することができる。
【０１６８】
これらの例のようにすることにより、前記電子部品の設計条件を有利にすることができるなどの効果が加わる。
【０１６９】
基礎的な実験として、半導体技術におけるバイポーラ技術を用いて製造された種々のダイオードとトランジスタを用いて本発明の各タイプの電子部品を構成して、多くの種類の自動車に適用したところ、全ての場合において、効果的に自動車の性能を改善することができることがわかった。本発明の電子部品の第１の部品と第２の部品にトランジスタを用いる場合、トランジスタのベースとコレクタを利用することが、熱的に好ましい。
【実施例３】
【０１７０】
図９は本発明の実施の形態例としての電子部品の回路要素の例を説明する図である。
【０１７１】
図９で、符号１８０は本発明による電子部品、１８９は電子部品１８０の主要部分としての回路要素、１８８ａは回路要素１８９を構成する第１の部品、１８８ｂは回路要素１８９を構成する第２の部品、１８１ａ，１８１ｂ，１８１ｃは第１の部品１８８ａを構成するダイオード、１８２ａ，１８２ｂは第２の部品１８８ｂを構成するダイオード、１８３は直列に接続されている第１の部品１８８ａと第２の部品１８８ｂに直列に接続された第３の部品としての抵抗、１８４と１８５は電子部品１８０を電気回路に接続することができる接続端子、１８６は第１の部品と第２の部品の接続部である。
【０１７２】
図９に示したように、第１の部品１８８ａは接続状態を同じにした３個のダイオード１８１ａ，１８１ｂ，１８１ｃが並列に接続されて構成されている。第２の部品１８８ｂは第１の部品を構成する各ダイオードとは逆の接続状態に配置されている接続状態を同じにした２個のダイオード１８２ａ，１８２ｂが並列に接続されて構成されている。
【０１７３】
すなわち、接続端子１８４が自動車の電気回路の電源の−極側に、接続端子１８５が＋極側になるように電子部品１８０を電気回路に接続した場合に、２個のダイオード１８２ａ，１８２ｂはｐｎ接合のｐ側が−電位にｎ側が＋電位になる同一の接続状態で並列に、すなわち、逆方向接続状態で並列に接続されて第２の部品１８８ｂを構成しており、３個のダイオード１８１ａ，１８１ｂ，１８１ｃはｐｎ接合のｎ側が−電位にｐ側が＋電位になる同一の接続状態で並列に、すなわち、順方向接続状態で並列に接続されて第１の部品１８８ａを構成していることになる。このように、第１の部品１８８ａと第２の部品１８８ｂは、それぞれ同一の接続状態すなわち順方向接続状態か逆方向接続状態のいずれか一方の接続状態で並列に接続された複数のダイオードで構成されているとともに、第１の部品１８８ａと第２の部品１８８ｂは一方が順方向接続状態に他方が逆方向接続状態に接続された直列接続関係に接続されて回路要素１８９を構成している。
【０１７４】
図９の例で、同じ接続状態で並列に接続されている第１の部品の各ダイオード１８１ａ，１８１ｂ，１８１ｃをそれぞれ異なる特性のダイオードにし、同様に、同じ接続状態で並列に接続されている第２の部品の各ダイオード１８２ａ，１８２ｂもそれぞれ異なる特性のダイオードにして複数種類の自動車に本発明の電子部品１８０を用いて自動車の性能を比較したところ、いずれの場合も従来自動車における性能を上回る自動車を得ることができた。
【０１７５】
第３の部品としての抵抗１８３の作用は、実施例１において説明した作用効果と同様である。
【０１７６】
このように構成された本発明の電子部品１８０は、前記のように自動車の電気回路に用いた場合、各構成部品を適宜選択することによって、自動車の性能を大きく改善することができるとともに、同一の電子部品を適用できる自動車の範囲を広くすることができる。
【０１７７】
なお、図９を用いて説明した前記実施例は、第１の部品としてのダイオードと第２の部品としてのダイオードに、各ダイオードのｐｎ接合の向きが図１における向きと同様のダイオードを用いて説明したが、図９の各ダイオードに、図４における第１の部品としてのダイオードと第２の部品としてのダイオードの各ｐｎ接合の向きと同様の各ダイオードを用いて本発明の電子部品を構成して自動車の性能を改善することもできる。
【実施例４】
【０１７８】
図１０は本発明の実施の形態例としての電子部品の回路要素の例を説明する図である。
【０１７９】
図１０で、符号１９０は本発明による電子部品、１９９は電子部品１９０の主要部分としての回路要素、１９１は回路要素１９９を構成する第１の部品としてのダイオード、１９２は回路要素１９９を構成する第２の部品としてのダイオード、１９３は第１の部品としてのダイオード１９１と第２の部品としてのダイオード１９２に直列に接続された第３の部品としての抵抗、１９４は第１の部品としてのダイオード１９１と第２の部品としてのダイオード１９２と第３の部品としての抵抗とに直列に接続された第４の部品としての誘導（コイル）、１９５と１９６は電子部品１９０を電気回路に接続することができる接続端子である。
【０１８０】
図１０に示したように、第１の部品としてのダイオード１９１と第２の部品としてのダイオード１９２は一方が順方向接続状態に他方が逆方向接続状態に接続されて回路要素１９９を構成している。
【０１８１】
第３の部品としての抵抗１９３の作用は、前記実施例で説明した作用効果と同様である。
【０１８２】
図１０からも明らかなように、本実施例の一つの特徴は、直列に接続されている第１〜第３の部品にさらに第４の部品としてのコイル１９４を直列に接続したことである。このように構成することによって、本発明の電子部品１９０を前記のように自動車の電気回路に用いた場合、各構成部品を適宜選択することによって、自動車の性能を大幅に改善することができるとともに、同一の電子部品を適用できる自動車の範囲を広くすることができる。
【０１８３】
コイルの誘導の値は、自動車と第１〜３の部品によって最適値が選択でき、一例として、第３の部品１９３に５２２ｋΩの抵抗を、第４の部品１９４に０．０２４ｍＨ（ミリヘンリー）のコイルを用いたところ、極めて効果的に自動車の性能改善を行うことができた。
【実施例５】
【０１８４】
図１１は本発明の実施の形態例としての電子部品の回路要素の例を説明する図である。
【０１８５】
図１１で、符号１９０ａは本発明による電子部品、１９９ａは電子部品１９０ａの主要部分としての回路要素、１９１ａは回路要素１９９ａを構成する第１の部品としてのダイオード、１９２ａは回路要素１９９ａを構成する第２の部品としてのダイオード、１９３ａは第１の部品としてのダイオード１９１ａと第２の部品としてのダイオード１９２ａに直列に接続された第３の部品としての抵抗、１９４ａは第１の部品としてのダイオード１９１ａと第２の部品としてのダイオード１９２ａと第３の部品としての抵抗とに直列に接続されている第４の部品としてのコイル、１９７ａは第１の部品としてのダイオード１９１ａには並列接続関係になるように第２の部品としてのダイオード１９２ａには直列接続関係になるように図示の如く接続されて回路要素１９９ａを構成しているコンデンサ、１９５ａと１９６ａは電子部品１９０ａを電気回路に接続することができる接続端子である。
【０１８６】
図１１に示したように、第１の部品としてのダイオード１９１ａと第２の部品としてのダイオード１９２ａは一方が順方向接続状態に他方が逆方向接続状態に接続されて回路要素１９９ａを構成している。
【０１８７】
第３の部品としての抵抗１９３ａの作用は、前記実施例で説明した作用効果と同様である。
【０１８８】
図１１からも明らかなように、本実施例の一つの特徴は、直列に接続されている第１〜第３の部品にさらに第４の部品としてのコイル１９４を直列に接続したのに加えて、さらに、直列接続関係にあるとともに一方が順方向接続状態で他方が逆方向接続状態にある第１のダイオードと第２のダイオードの一方とは並列接続関係になり他方とは直列接続関係になるようにコンデンサ１９７ａを接続して回路要素１９９ａを構成したことである。このように構成することによって、本発明の電子部品１９０ａを前記のように自動車の電気回路に用いた場合、各構成部品を適宜選択することによって、自動車の性能を大幅に改善することができるとともに、同一の電子部品を適用できる自動車の範囲を広くすることができる。
【０１８９】
コイルの誘導の値は、自動車と第１〜３の部品によって最適値が選択でき、一例として、第３の部品１９３ａに６６５ｋΩの抵抗を、第４の部品１９４ａに７９．８ｍＨのコイルを用いて電子部品１９０ａを構成し、日産のエルグランド（ガソリン車）、フォルクスワーゲン社のパサート（ガソリン車）、トヨタのライトエース（ディーゼル車）に用いたところ、極めて効果的に自動車の性能改善を行うことができた。
【実施例６】
【０１９０】
図１２は本発明の実施の形態例としての電子部品の基本構成を説明する図である。
【０１９１】
図１２で、符号３００は本発明による電子部品、３０９は電子部品３００の主要部分としての回路要素、３０１は回路要素３０９を構成する第１の部品としてのダイオード、３０２は回路要素３０９を構成する第２の部品としてのダイオード、３０３は直列に接続されている第１の部品としてのダイオード３０１と第２の部品としてのダイオード３０２に直列に接続された第３の部品としての抵抗、３０４は直列に接続されている第１の部品としてのダイオード３０１と第２の部品としてのダイオード３０２と第３の部品としての抵抗３０３とに直列に接続された第４の部品、３０４ａは第４の部品３０４を構成するコイル、３０４ｂは第４の部品３０４を構成するコンデンサ、３０５と３０６は電子部品３００を電気回路に接続することができる接続端子である。
【０１９２】
図１２に示したように、第１の部品としてのダイオード３０１と第２の部品としてのダイオード３０２は直列に接続されており、一方が順方向接続状態に他方が逆方向接続状態に接続されて回路要素３０９を構成している。
【０１９３】
第３の部品としての抵抗３０３の作用は、前記実施例で説明した作用効果と同様である。
【０１９４】
図１２からも明らかなように、本実施例の一つの特徴は、直列に接続されている第１〜第３の部品にさらに第４の部品を直列に接続し、第４の部品３０４を並列に接続したコイル３０４ａとコンデンサ３０４ｂで構成したことである。このように構成することによって、本発明の電子部品３００を前記のように自動車の電気回路に用いた場合、各構成部品を適宜選択することによって、自動車の性能を大きく改善することができる。
【実施例７】
【０１９５】
図１３は本発明の実施の形態例としての電子部品の基本構成を説明する図である。
【０１９６】
図１３で、符号３２０は本発明による電子部品、３２９は電子部品３２０の主要部分としての回路要素、３２１は回路要素３２９を構成する第１の部品としてのダイオード、３２２は回路要素３２９を構成する第２の部品としてのダイオード、３２３は直列に接続されている第１の部品としてのダイオード３２１と第２の部品としてのダイオード３２２に直列に接続された第３の部品としての抵抗、３２４は直列に接続されている第１の部品としてのダイオード３２１と第２の部品としてのダイオード３２２と第３の部品としての抵抗３２３とに直列に接続された第４の部品としてのコイル、３２５はコンデンサ、３２６と３２７は電子部品３２０を電気回路に接続することができる接続端子である。
【０１９７】
図１３に示したように、第１の部品としてのダイオード３２１と第２の部品としてのダイオード３２２は直列に接続されており、一方が順方向接続状態に他方が逆方向接続状態に接続されて回路要素３２９を構成している。ダイオードはバイポーラ技術を利用して作成されたダイオードを用いた。
【０１９８】
第３の部品としての抵抗３２３の作用は、前記実施例で説明した作用効果と同様である。
【０１９９】
図１３からも明らかなように、本実施例の一つの特徴は、第１〜第４の部品を直列に接続し、第４の部品であるコイル３２４とそれに直列に接続されている第２の部品のダイオード３２２とに並列にコンデンサ３２５を接続して回路要素３２９を構成したことである。そして,コンデンサ３２４は第1の部品であるダイオード３２１には並列接続ではなく直列接続になっている。
【０２００】
図１３の電子部品３２０の接続端子３２６と３２７の間において、第1の部品であるダイオード３２１と第2の部品であるダイオード３２２のいずれにも、直流電流を通じることができる抵抗のような部品が並列に接続されていない。これは、本発明の電子部品３２０に不要な消費電流の増大を招かない利点がある。
【０２０１】
前記半導体のｐｎ接合の順方向接続状態と逆方向接続状態のうちの一方の接続状態にした第1の部品であるダイオード３２１と第2の部品であるダイオード３２２のうちの一方の部品としてのダイオードと、他方の接続状態にした第1の部品であるダイオード３２１と第2の部品であるダイオード３２２のうちの他方の部品としてのダイオードとを直列接続状態にした電子部品３２０は大きな効果を発揮することができる。
【０２０２】
コイル３２４とコンデンサ３２５の値は各種自動車に装着して特性を調べて、そのデータを基に決めることができる。種々の誘導値を有するコイルと種々の容量値を有するコンデンサを用いて電子部品３２０を構成し、それを自動車に装着して前記のような自動車の各種性能を調べ、コイル３２４とコンデンサ３２５の値を決めた。
【０２０３】
第３の部品である抵抗３２３は固定抵抗に可変抵抗を直列に接続した図６の場合と同様な構成にし、抵抗値は、本発明の電子部品３２０を取り付ける自動車に最適な条件になるように、たとえば自動車のエンジン音の変化を調べながら調整して決めることができた。
【０２０４】
ダイオードにはバイポーラ技術を利用して作成されたダイオードを用いた。
【０２０５】
このように構成することによって、本発明の電子部品３２０を前記のように自動車の電気回路に用いた場合、各構成部品を適宜選択することによって、自動車の性能を顕著に改善することができた。
【実施例８】
【０２０６】
図１４は本発明の実施の形態例としての電子部品の基本構成を説明する図である。
【０２０７】
図１４で、符号３３０は本発明による電子部品、３３９ａ，３３９ｂ，３３９ｃは電子部品３３０の主要部分としての回路要素、３３１ａは回路要素３３９ａを構成する第１の部品としてのダイオード、３３２ａは回路要素３３９ａを構成する第２の部品としてのダイオード、３３３ａは直列に接続されている第１の部品としてのダイオード３３１ａと第２の部品としてのダイオード３３２ａに直列に接続された第３の部品としての抵抗、３３１ｂは回路要素３３９ｂを構成する第１の部品としてのダイオード、３３２ｂは回路要素３３９ｂを構成する第２の部品としてのダイオード、３３３ｂは直列に接続されている第１の部品としてのダイオード３３１ｂと第２の部品としてのダイオード３３２ｂに直列に接続された第３の部品としての抵抗、３３１ｃは回路要素３３９ｃを構成する第１の部品としてのダイオード、３３２ｃは回路要素３３９ｃを構成する第２の部品としてのダイオード、３３３ｃは直列に接続されている第１の部品としてのダイオード３３１ｃと第２の部品としてのダイオード３３２ｃに直列に接続された第３の部品としての抵抗、３４０は第５の部品、３３６と３３７は電子部品３２０を電気回路に接続することができる接続端子である。
【０２０８】
図１４に示したように、電子部品３３０は並列に接続された３つの回路要素３３９ａ，３３９ｂ，３３９ｃを有しており、各回路要素を構成する第１の部品としてのダイオードと第２の部品としてのダイオードは直列に接続されており、一方が順方向接続状態に他方が逆方向接続状態に接続されている。
【０２０９】
第５の部品は、並列に接続されている３つの回路要素３３９ａ，３３９ｂ，３３９ｃに共通に直列に接続されており、抵抗で構成することができるが、これに限らず、抵抗とコイルあるいは抵抗とコイルとコンデンサを有するように構成することができる。第５の部品は本発明の電子部品の汎用性を高めて、自動車の性能改善を行うために用いることができる。
【０２１０】
このように構成することによって、本発明の電子部品３３０は多くの自動車に使用することができる電子部品として自動車の性能改善に寄与することができる。
【実施例９】
【０２１１】
図１５は本発明の実施の形態例としての電子部品の基本構成を説明する図である。
【０２１２】
図１５で、符号３５０は本発明による電子部品、３５９ａ，３５９ｂ，３５９ｃは電子部品３５０の主要部分としての回路要素、３５１ａは回路要素３５９ａを構成する第１の部品としてのダイオード、３５２ａは回路要素３５９ａを構成する第２の部品としてのダイオード、３５３ａは直列に接続されている第１の部品としてのダイオード３５１ａと第２の部品としてのダイオード３５２ａに直列に接続された第３の部品としての抵抗、３５４ａは直列に接続されている第１の部品としてのダイオード３５１ａと第２の部品としてのダイオード３５２ａと第３の部品としての抵抗３５３ａとに直列に接続された第４の部品としてのコイル、３５５ａはコイル３５４ａと第２の部品としてのダイオード３５２ａに並列に接続されているコンデンサ、３５１ｂは回路要素３５９ｂを構成する第１の部品としてのダイオード、３５２ｂは回路要素３５９ｂを構成する第２の部品としてのダイオード、３５３ｂは直列に接続されている第１の部品としてのダイオード３５１ｂと第２の部品としてのダイオード３５２ｂに直列に接続され回路要素３５９ｂを構成している第３の部品としての抵抗、３５１ｃは回路要素３５９ｃを構成する第１の部品としてのダイオード、３５２ｃは回路要素３５９ｃを構成する第２の部品としてのダイオード、３５３ｃは直列に接続されている第１の部品としてのダイオード３５１ｃと第２の部品としてのダイオード３５２ｃに直列に接続されて回路要素３５９ｃを構成している第３の部品としての抵抗、３５４ｃは直列に接続されている第１の部品としてのダイオード３５１ｃと第２の部品としてのダイオード３５２ｃと第３の部品としての抵抗３５３ｃとに直列に接続されて回路要素３５９ｃを構成している第４の部品としてのコイル、３６０は第５の部品、３５６と３５７は電子部品３５０を電気回路に接続することができる接続端子である。
【０２１３】
図１５に示したように、電子部品３５０は並列に接続された３つの回路要素３５９ａ，３５９ｂ，３５９ｃを有しており、各回路要素を構成する第１の部品としてのダイオードと第２の部品としてのダイオードは直列に接続されており、一方が順方向接続状態に他方が逆方向接続状態に接続されている。
【０２１４】
各回路要素は前記各例で部分的に説明したので重複を避けることにする。
【０２１５】
第５の部品は、抵抗で構成することができるが、これに限らず、抵抗とコイルあるいは抵抗とコイルとコンデンサを有するように構成することができる。第５の部品は電子部品の汎用性を高めて、自動車の性能改善を行うために用いることができる。
【０２１６】
このように構成することによって、本発明の電子部品３５０は多くの自動車に使用することができる電子部品として自動車の性能改善に寄与することができる。
【実施例１０】
【０２１７】
本発明の電子部品は、自動車の電気回路に用いる用い方によって種々の形態をとり得るものである。
【０２１８】
図１６と図１７は本発明の電子部品の実施の形態例を説明する図で、図１６は自動車のシガレットライターと同様のケースに実装した状態の本発明の電子部品の例を説明する斜視図、図１７は図１６の電子部品の回路図である。
【０２１９】
図１６で、符号２６０は本発明の電子部品、２６１と２６２は本発明の電子部品２６０を自動車の電気回路に接続することができる接続端子、２６３は本発明の電子部品が自動車の電気回路に接続されているか否かを表示することができる発光ダイオード、２６４はプラスチック製のケース、２６５は電子部品２６０を自動車のシガレットライター用の接続端子に挿入するときの挿入方向を示す矢印、２６６は抵抗、２６７はケース２６４の突起部である。
【０２２０】
接続端子２６１と突起部２６７はバネ性を有しており、突起部２６７は、図示の部分と反対側にも設けられている。突起部２６７は、電子部品２６０が自動車のシガレットライター用の接続端子に挿入されたときに接続端子２６１がケース２６４の挿入部の表面から突出していることにより自動車のシガレットライター用の接続端子から受ける力と同様の力を自動車のシガレットライター用の接続端子から受けるようにそのバネ力が設計されている。
【０２２１】
図１６の電子部品２６０は、接続端子２６１と２６２の間に少なくとも図１７に示した各部品が接続されている。図１７において、半導体のｐｎ接合を有する第１の部品２０１と第２の部品２０２が、当該電子部品２６０を自動車の電気回路に接続したときに、一方が順方向接続に、他方が逆方向接続になるように直列に接続されており、第３の部品が第１の部品２０１および第２の部品２０２と直列に接続されている。この構成は、本発明の実施例１で図５、図６を用いて説明した構成と同様である。図１６の電子部品２６０は、接続端子２６１と２６２の間に、前記第１〜第３の部品の他に、図１７に示したように、直列に接続された第１〜第３の部品と並列になるように接続された少なくとも１つの発光ダイオード２６３及びそれに直列に接続された抵抗２６６を有している。
【０２２２】
このような構成にしたことによって、自動車の運転手が、電子部品２６０が自動車の電気回路に接続されているか否かを容易に知ることができる。
【実施例１１】
【０２２３】
さらに、図１６の電子部品２６０は、実施例９の他の形態として、接続端子２６１と２６２の間に、直列に接続された第１〜第３の部品と並列に、シガレットライターの回路や香をたくなどの香り発生回路を接続して構成した電子部品にすることもできる。
【０２２４】
また、図１６の電子部品２６０は、実施例３の他の形態として、接続端子２６１と２６２とは別に、シガレットライター、香り発生部品、照明装置、マイナスイオン発生装置など、自動車の電源を利用する他の部品を接続することができる端子やソケットを有するように構成することができる。このようにすることにより、本発明の電子部品をより広い範囲の自動車に装着することができる。
【０２２５】
図１８は本発明の電子部品の実施の形態例を説明する図で、符号２７０は本発明の電子部品、２７７は電子部品の本体部、２７８は電子部品の差し込み部、２７９は本体部のケース、２８０は差し込み部のケース、２８１は本体部２７７と差し込み部２７８を電気的に接続している配線、２７５と２７６は本発明の電子部品２７０を自動車の電気回路に接続することができる接続端子、２７１はたとえば図１３に示した構成の各部品を組み込んだ本発明の電子部品の主要部分、２７２〜２７４はそこにシガレットライター、香り発生部品、照明装置、マイナスイオン発生装置など、自動車の電源を利用する他の部品を接続することができるソケットである。
【０２２６】
主要部分２７１の内部には図１３に示したのと同様な各部品が図１３と同様に接続されており、本発明の電子部品の基本的能力を発揮できるようになっている。
【０２２７】
さらに、図１８の電子部品２７０は、ソケット２７２〜２７４に必要に応じてシガレットライター、香り発生部品、照明装置、マイナスイオン発生器などを挿入してそれぞれを機能させることができ、本発明の電子部品を自動車に用いることによる従来備わっていた機能を損なうことがないばかりか、さらに新規の機能を追加するなど利便性を高めることができるという効果がある。
【実施例１２】
【０２２８】
次に、前記実施例の説明に加えて、本発明をより明確にするために、以下において、本発明の前記電子部品を自動車の電気回路へ配置することに関して、さらに詳しく説明する。
【０２２９】
図１９は本発明の実施の形態例として、前記の如き例の電子部品を自動車の電気回路に接続した状態の例を説明する図である。符号２５０、２５１は電気回路中の配線、２５２、２５３は前記配線に前記電子部品をたとえば半田付けなどにより接続する接続点を示している。
【０２３０】
たとえば、前記の如き回路要素を有する本発明の電子部品を、図２４の自動車の電気回路中の電位差を有する適切な位置に、たとえば、図１９に示すように、電気回路中の電位差を有する２本の配線２５０と２５１の間に、接続点２５２と２５３で半田付けすることなどにより、自動車の電気回路に組み込んで実施することができる。このように前記電子部品を自動車の電気回路に組み込むことにより、自動車の性能を改善することができる。そして、自動車の電気回路の複数箇所に本発明の電子部品を組み込んで、自動車の性能を著しく改善することができる。
【０２３１】
図１６を用いて説明したような、自動車の電気回路におけるシガレットライターを接続することができる端子（前記電気回路中の端子）あるいはその近傍の前記電気回路中の配線に本発明における前記電子部品を電気的に接続した自動車と、従来自動車とをつくり、前記の如き自動車の性能を比較したところ、従来自動車に比較して、本発明における前記電子部品を装着した自動車の性能が大幅に向上していることが確認された。
【０２３２】
つぎに、前記電子部品の自動車の電気回路への組込箇所について、いくつかの例をあげて説明する。
【０２３３】
本発明における前記電子部品は、前記説明の接続方法に狭く限定されるものではない。たとえば、自動車の電気回路の配線中の、エンジン作動制御のために、エンジン点火に関する信号や燃料制御に関する信号を扱う回路の少なくとも一カ所に配置することができ、スイッチやリレーなどのような使用時あるいは不使用時に解放端になるように構成されている端部近傍の配線に配置して自動車の性能を改善することができ、また、自動車の電気回路の電源供給ソケットの両端子間に接続して自動車の性能を改善することができる。
【０２３４】
自動車の電気回路には、スピードセンサー、酸素センサー、ノックセンサー、水温センサー、気温センサー、回転数センサーなど種々のセンサーが接続されている。これらのうちの、自動車の電気回路として必要な信号を阻害しないような範囲で、適切な端子近傍あるいはその出力を電気的に処理する回路に前記電子部品を配置して自動車の性能を改善することができる。
【０２３５】
また、自動車の電気回路にはシールド線が使用されているところがある。これらのうちの、自動車の電気回路として必要な信号を阻害しないような範囲で、シールドで被われている信号線あるいはその出力を電気的に処理する回路に前記電子部品を配置することもできる。
【０２３６】
自動車の電気回路用の半導体集積回路の適切な位置に、本発明の電子部品を構成して、前記半導体集積回路を自動車の電気回路に用いて自動車の性能を改善することができる。
【実施例１３】
【０２３７】
次に、前記実施例の説明に加えて、本発明をより明確にするために、以下において、本発明の前記電子部品を自動車の電気回路へ配置することに関して、さらに詳しく説明する。
【０２３８】
近年、テレビジョンやカーナビゲーション装置などの表示画面を有する装置が、自動車の付属品として用いられたり、自動車に付属品や機能部品として備え付けられたりしている自動車が実用化されてきている。
【０２３９】
本発明の一実施例として、このような、たとえば、運転席の近傍など自動車の一部に取り付けられている操作パネルやテレビジョンやカーナビゲーション装置などの表示画面のうちの少なくとも一部に、自動車の電気回路における前記電子部品の接続状態や前記各部品の調整状態などのような前記電子部品に関する情報を表示するようにした。これにより、使用者が本発明を実施した自動車の性能に関する情報を適格に知ることができるという大きな効果をもたらした。
【０２４０】
そして、前記例の自動車において、運転席の近傍など自動車の一部に取り付けられている操作パネルやテレビジョンやカーナビゲーション装置などの表示画面を介して前記電子部品の自動車の電気回路への接続状態や前記各部品の調整状態を変更することができるようにしたところ、自動車の使用者の要求に応じて、性能を選択的に、あるいは総合的に高めることができた。
【０２４１】
そして、前記電子部品の自動車の電気回路への接続状態や前記各部品の調整状態の変更をデジタル処理で行うことができるようにすることによって一層利便性を高めることができる。
【０２４２】
なお、デジタル音響装置と称せられる音響設備に前記電子部品を用いる場合は、音質の変化を十分に調べた上で実施することが好ましい。
【０２４３】
図２０は自動車の表示画面の例を説明する図で、符号３８０は表示装置、３８１は液晶表示画面、３８２はたとえば指でタッチして機能を選択する機能選択部、３８５は機能選択部３８２の電子部品選択部が選択されたときに前記電子部品やその回路要素の配線状態が表示される配線状態表示部、３８４は回路要素等の選択部、３８３は回路要素の接続選択や回路要素の構成部品の接続選択や値調整を行う調整部である。
【０２４４】
図２０を用いて電子部品による自動車の性能を調整する場合、たとえば、機能選択部３８２をタッチして本発明の電子部品調整を選択すると、配線状態表示部３８５に本発明の電子部品の配線状態と関連データなどが表示される。つぎに回路要素等の選択部３８４をタッチして、調整部分を選択し、調整部３８３をタッチして配線状態表示部３８５のデータの変化や自動車の性能の変化を実際に自動車を動作させるなどして調べ、その結果により、選択部３８４や調整部３８３を操作して再調整することを繰り返し、自動車の性能を望ましい状態に向上させることができる。
【実施例１４】
【０２４５】
本発明における電子部品を自動車の電気回路に用いて自動車の性能を改善することができることを、いくつかの例をあげて説明したが、前記文献１を用いて説明した如き第三種の改善におけるヒューズを用いて自動車の性能を改善するとともに、それに加えて本発明の前記電子部品を自動車の電気回路に用いて自動車の性能の変化を調べたところ、前記ヒューズのみを用いた場合に比較して、さらに自動車の性能を改善できることがわかった。
【０２４６】
本発明は、本発明の発明者等が文献１とは別に特許出願中の発明である特願２００３−４０３０３５と特願２００３−４０４０７０に記載されているヒューズを用いた自動車の性能を改善に加えて本発明の電子部品による自動車に性能改善を実施することにより、一層好ましい自動車の性能改善を行うことができる。
【０２４７】
特に好ましいことは、液体窒素を用いた零下１５０°Ｃ以下の極低温環境下に所定時間以上おいてから放置して常温に戻したヒューズを用いた自動車に本発明の前記電子部品を用いて自動車の性能の改善を図ったところ、従来自動車に比較して極めて良好な状態に自動車の性能を改善することができ、前記ヒューズのみを用いた自動車に比較して極めて良好な状態に自動車の性能を改善することができた。さらに、前記ヒューズとしてヒューズの端子に０．２μｍ以上、より好ましくは０．３μｍ以上の金メッキを施したものを用いた場合、図２３を用いて説明した、車種によって生じる自動車の走行中の振動によるヒューズの発熱問題が解決され、そして本発明による自動車の性能向上効果を一層際だたせることができることが、本発明者等の実験により確認された。
【０２４８】
このように、本発明は、自動車の性能を大幅に改善することができる電子部品を安価に提供することができるものであるとともに、それを用いた優れた性能を有する自動車を安価に提供することができるものであることは、以上の説明から容易に理解できるものである。
【０２４９】
以上、実施例を参照して本発明の電子部品の実施の形態例を説明したが、本発明は前記実施例に狭く限定されるものではなく、前記本発明の技術思想を利用した多くのバリエーションを可能とするものである。
【産業上の利用可能性】
【０２５０】
以上の説明からもわかるように、本発明の利用範囲は自動車産業からそのユーザにおけるまで、広い範囲にわたるものである。
【０２５１】
本発明は、従来の方法で量産された自動車の性能を大幅に向上させることを可能にするものであるとともに、性能の優れた自動車を安価に実現することを可能にするものであり、高性能な自動車を安価に得ることを可能とし、自動車を購入して使用するためのコストの大幅な削減、自動車使用による大気汚染の大幅な低減をもたらすことができるなど、その経済的、社会的効果は極めて大きなものであり、自動車産業の発展ならびに自動車を利用する産業の発展に大きく寄与するものであるとともに、自動車による環境汚染を改善する効果をもたらすものである。
【図面の簡単な説明】
【０２５２】
【図１】本発明における電子部品の回路要素の例を説明する図である。
【図２】本発明における電子部品の回路要素の例を説明する図である。
【図３】本発明における電子部品の回路要素の例を説明する図である。
【図４】本発明における電子部品の回路要素の例を説明する図である。
【図５】本発明における電子部品の回路要素の例を説明する図である。
【図６】図５の電子部品を構成する第３の部品の例を説明する図である。
【図７】本発明における電子部品の回路要素の例を説明する図である。
【図８】本発明における電子部品を説明する図である。
【図９】本発明における電子部品の回路要素の例を説明する図である。
【図１０】本発明における電子部品の回路要素の例を説明する図である。
【図１１】本発明における電子部品の回路要素の例を説明する図である。
【図１２】本発明の実施の形態例としての電子部品の基本構成を説明する図である。
【図１３】本発明の実施の形態例としての電子部品の基本構成を説明する図である。
【図１４】本発明の実施の形態例としての電子部品の基本構成を説明する図である。
【図１５】本発明の実施の形態例としての電子部品の基本構成を説明する図である。
【図１６】本発明の電子部品の実施の形態例として、シガレットライターと同様のケースに実装した状態の本発明の電子部品の例を説明する斜視図である。
【図１７】図１６の電子部品の回路図である。
【図１８】本発明の電子部品の実施の形態例を説明するである。
【図１９】本発明の電子部品の自動車の電気回路に接続した状態の例を説明する図である。
【図２０】自動車の表示画面の例を説明する図である。
【図２１】乗用車に使用されている代表的なヒュ−ズホルダーにおけるヒューズの装着方法を説明する図である。
【図２２】乗用車に使用されている代表的なヒュ−ズホルダーにおけるヒューズの装着方法を説明する図である。
【図２３】図２２を用いて説明したタイプのヒューズホルダーに装着されて使用されたヒューズの接続端子の状況を説明する図である。
【図２４】本発明のヒューズを用いた装置の例としての乗用車の電気系統を説明する図である。
【符号の説明】
【０２５３】
３：電池
４ａ〜４ｇ：ヒューズ
５ｂ〜５ｇ：スイッチ
６：自動車エンジンのスタータ系回路部分
７：燃料制御系回路部分
８：コンピュータ
９：イグニッション系回路部分
１０：エアコンコンディショナー系回路部分
１１：音響装置
１２ａ〜１２ｄ，１３ａ〜１３ｄ，１４ａ〜１４ｄ，１５ａ〜１５ｄ，１６ａ〜１６ｄ，１７ａ〜１７ｄ，１８〜２５：配線
１０１，１０２，１２１，１２２：ヒューズの接続端子
１１０，１１１，１３０〜１３３：ヒューズホルダーの電極
１２１ｃ，１２２ｃ：ヒューズの接続端子表面
１５０，１５０ａ，１６０，１７０，１８０，１９０，１９０ａ，２００，２１０，２６０，２７０，３００，３２０，３３０，３５０：電子部品
１５１，１５１ａ，１５２，１５２ａ，１６１ａ，１６１ｂ，１６１ｃ，１６２，１７１ａ，１７１ｂ，１７２ａ，１７２ｂ，１７２ｃ，１８１ａ，１８１ｂ，１８１ｃ、１８２ａ，１８２ｂ，１９１，１９１ａ、１９２，１９２ａ、２０１，２０２，３０１，３０２，３２１，３２２，３３１ａ，３３１ｂ，３３１ｃ，３３２ａ，３３２ｂ，３３２ｃ，３５１ａ，３５１ｂ，３５１ｃ，３５２ａ，３５２ｂ，３５２ｃ：ダイオード
１５１ｎ，１５２ｎ：ｐｎ接合のｎ側
１５１ｐ，１５２ｐ：ｐｎ接合のｐ側
１５９，１５９ａ，１６９，１７９，１８９，１９９，１９９ａ，２０９，２１９，３０９，３２９，３３９ａ，３３９ｂ，３３９ｃ，３５９ａ，３５９ｂ，３５９ｃ，３７３：回路要素
１５４，１５４ａ，１５５，１５５ａ，１６４，１６５，１７４，１７５，１８４，１８５，１９５，１９５ａ，１９６，１９６ａ，２０４，２０５，２１４，２１５，２６１，２６２，２７５，２７６，３０５，３０６，３２６，３２７，３３６，３３７，３５６，３５７：接続端子
１６８ａ，１７８ａ，１８８ａ：第１の部品
１６８ｂ，１７８ｂ，１８８ｂ：第２の部品
１８３，１９３，１９３ａ，３０３，３２３，３３３ａ，３３３ｂ，３３３ｃ，３５３ａ，３５３ｂ，３５３ｃ：第３の部品としての抵抗
１９４，１９４ａ，３０４ａ，３２４，３５４ａ，３５４ｃ：第４の部品としての誘導（コイル）
１９７ａ，３２５，３５５ａ：コンデンサ
２０３，２３０：第３の部品
２３１：固定抵抗  
２３２：可変抵抗
２５０，２５１：自動車の電気回路中の配線
２５２，２５３：接続点
２６３：発光ダイオード
２６４，２７９，２８０：ケース
２６５：矢印
２６６：抵抗
２６７：突起部
２７１：本発明の電子部品の主要部分
２７２〜２７４：ソケット
２７７：本発明の電子部品の本体部
２７８：本発明の電子部品の差し込み部
２８１：本体部と差し込み部を電気的に接続している配線
３０４：第４の部品
３０４ｂ：第４の部品を構成するコンデンサ
３４０，３６０：第５の部品
３７０：半導体集積回路基板
３７１：自動車制御用の回路の主要部分
３８０：表示装置
３８１：液晶表示画面
３８２：機能選択部
３８３：回路要素の調整部
３８４：回路要素等の選択部
３８５：配線状態表示部
【図１】
2005271747.tif 000003
【図２】
2005271747.tif 000004
【図３】
2005271747.tif 000005
【図４】
2005271747.tif 000006
【図５】
2005271747.tif 000007
【図６】
2005271747.tif 000008
【図７】
2005271747.tif 000009
【図８】
2005271747.tif 000010
【図９】
2005271747.tif 000011
【図１０】
2005271747.tif 000012
【図１１】
2005271747.tif 000013
【図１２】
2005271747.tif 000014
【図１３】
2005271747.tif 000015
【図１４】
2005271747.tif 000016
【図１５】
2005271747.tif 000017
【図１６】
2005271747.tif 000018
【図１７】
2005271747.tif 000019
【図１８】
2005271747.tif 000020
【図１９】
2005271747.tif 000021
【図２０】
2005271747.tif 000022
【図２１】
2005271747.tif 000023
【図２２】
2005271747.tif 000024
【図２３】
2005271747.tif 000025
【図２４】
2005271747.tif 000026